(57)【要約】【課題】  サイズ検出部とメイン基板との間のハーネスを省略することにより、配置の利便性を著しく向上させることができる画像形成装置を提供する。【解決手段】  転写紙のカセットトレイに転写紙のサイズ検出部を有している画像形成装置であって、前記転写紙のサイズに応じたサイズ信号を記憶したメモリと、前記転写紙のサイズに応じて可動する可動部材と、前記転写紙のサイズに応じて可動する可動部材によって切り替わって前記メモリを誘導電磁界によって読み取り可能状態に切り替えるコイルと、前記読み取り可能状態となった前記メモリより誘導電磁界によってサイズ信号を読み取る読取手段と、を有する構成となっている。【選択図】  図３
2007074584.tif 000002
【特許請求の範囲】
【請求項１】
転写紙のカセットトレイに転写紙のサイズ検出部を有している画像形成装置であって、
前記転写紙のサイズに応じたサイズ信号を記憶したメモリと、
前記転写紙のサイズに応じて可動する可動部材と、
前記転写紙のサイズに応じて可動する可動部材によって切り替わって前記メモリを誘導電磁界によって読み取り可能状態に切り替えるコイルと、
前記読み取り可能状態となった前記メモリより誘導電磁界によってサイズ信号を読み取る読取手段と、を有することを特徴とする画像形成装置。
【請求項２】
前記読取手段が、誘導電磁界を発生する誘導電磁界発生手段を有しており、該誘導電磁界発生手段により発生された誘導電磁界によって前記メモリよりの無線のサイズ信号が読み取られることを特徴とする請求項１に記載の画像形成装置。
【請求項３】
前記メモリを覆う電波遮断部材を有することを特徴とする請求項１に記載の画像形成装置。
【発明の詳細な説明】
【技術分野】
【０００１】
この発明は、カセットトレイに転写紙のサイズ検出部を有している画像形成装置に関し、特に、サイズ検出部とメイン基板との間のハーネスを省略することにより、配置の利便性を著しく向上させることができる画像形成装置に関するものである。
【背景技術】
【０００２】
現在の画像形成装置においては、図７のように転写紙を積載しているカセットトレイ２３ｂには、その転写紙のサイズをプッシュＳＷ１１３、１１５、１１７などの状態を検出する装置を複数設けて検出するようになっている。紙サイズの全種類は４ビットの２値データで表すことができるので、サイズ検出部の構成は４つで実現可能である。サイズ検出部には４ビットであれば信号ライン４本に対して各々２本の合計８本のハーネスが設けられ、そのハーネスがメイン基板と接続されている。
なお、先行技術としては、特許文献１として、プリンタ制御部は、画像形成装置の給紙カセット付近に取りつけられたＲＦＩＤタグ読み取り部より、給紙カセットに載置された用紙のＲＦＩＤタグを読み取り、そしてまずその枚数と、これから行う印刷に必要な枚数とを数え、それらを比較して、カセットの枚数の方が少ない場合には、警告し、また、設定された印刷モードによる印刷が、ＲＦＩＤタグから読み取った媒体の種類においてできないと判断された場合には、その旨警告し、さらに、読み取った媒体の種類や厚さ、サイズ、色等に応じて、媒体の搬送速度や帯電装置において印加される電圧、定着装置の温度などの設定を最適に行って画像形成する技術が、特許文献２として、Ｘ軸用及びＹ軸用のＭＩ素子とＩＣチップにより構成され、ＭＩ素子は、ＩＣチップの隣り合う２辺ＡＢ，ＢＣに面して配置され、ＭＩ素子に接続される励磁電流用電極及び励磁電流を供給するスイッチング回路がその２辺ＡＢ，ＢＣに配置され、Ｘ軸用のＭＩ素子とスイッチング回路との位置関係、及びＹ軸用のＭＩ素子とスイッチング回路との位置関係を同等とする技術が開示されている。
【特許文献１】特開２００５−０３５１４４公報
【特許文献２】特開２００４−１１９５１７公報
【発明の開示】
【発明が解決しようとする課題】
【０００３】
しかしながら、上記従来のカセットトレイの状態検出装置がハーネスを介してメイン基板と接続されている構成では、カセットトレイがメイン基板から離れていればそれだけ長いハーネスを要し、配線が長く複雑になるばかりか、ハーネスの這い回しが非常に入り組んでいて難しかった箇所、または不可能な箇所にはメイン基板を配置できない欠点があった。
本発明は、上記従来の問題点を解決するためになされたものであって、その目的は、サイズ検出部とメイン基板との間のハーネスを省略することにより、配置の利便性を著しく向上させることができる画像形成装置を提供することである。
【課題を解決するための手段】
【０００４】
上述の目的を達成するために、請求項１記載の発明は、転写紙のカセットトレイに転写紙のサイズ検出部を有している画像形成装置であって、前記転写紙のサイズに応じたサイズ信号を記憶したメモリと、前記転写紙のサイズに応じて可動する可動部材と、前記転写紙のサイズに応じて可動する可動部材によって切り替わって前記メモリを誘導電磁界によって読み取り可能状態に切り替えるコイルと、前記読み取り可能状態となった前記メモリより誘導電磁界によってサイズ信号を読み取る読取手段と、を有することを特徴とする。
また、請求項２記載の発明は、前記読取手段が、誘導電磁界を発生する誘導電磁界発生手段を有しており、該誘導電磁界発生手段により発生された誘導電磁界によって前記メモリよりの無線のサイズ信号が読み取られることを特徴とする。
また、請求項３記載の発明は、前記メモリを覆う電波遮断部材を有することを特徴とする。
【発明の効果】
【０００５】
本発明によれば、電磁波を用いるＩＤタグを使用し、サイズ検出部とメイン基板との間のハーネスを用いることなく状態検出をすることができるので、配置の利便性を著しく向上させることができる。
また、本発明によれば、ＩＤタグ内メモリにデータを蓄積することができるので、メインメモリを節約することができる。
また、本発明によれば、電波を遮断する金属（電波遮断部材）などでＩＤタグを覆って電磁波を遮断することでより確実なデータ保持を可能とすることができる。
【発明を実施するための最良の形態】
【０００６】
以下に添付の図を参照してこの発明の実施形態を詳細に説明する。
＜実施例＞
図１は、本発明によるフルカラー画像形成装置の一実施形態の概略全体図である。
図１に示すように、このフルカラー画像形成装置においては、潜像担持体として感光体ベルト１が設けられており、この感光体ベルト１の周囲には、この感光体ベルト１に対して帯電を行う帯電チャージャ３と、露光を行う書込みユニット５と、現像を行う現像部７と、感光体クリーニング部９と、除電部１１とが配設されており、感光体ベルト１上に像形成するようになっている。像形成過程としては、まず感光体ベルト１上を除電部１１から出力される光で除電し、その後に帯電チャージャ３により一様に帯電を行い、次に書込みユニット５において、画像データに従いＬＤを駆動してレーザー光をポリゴンミラーに照射させ、走査させることで感光体ベルト１上に静電潜像を形成し、現像部７によって感光体ベルト１上の静電潜像に４色の画像を現像する。現像された画像は、中間転写ベルト（転写体）１３に順次重ねられ、重ねられた像は、カセットトレイ１５あるいは手差しユニット１７より送られた転写紙１９に転写され、さらに定着部２１にて定着することで、フルカラー画像を得る。なお、この画像形成装置の上部には、メイン制御部２５が設けられている。
そして、カセットトレイ１５あるいは手差しユニット１７には、転写紙１９のサイズを検出するサイズ検出部２３が配設されている。
【０００７】
図２は、図１に示したサイズ検出部２３の説明図であり、（ａ）は、構成斜視図であり、（ｂ）は、拡大説明図である。図２（ａ）に示すように、カセットトレイ１５側には、紙サイズ固有（固定）の第１のサイズ検知部２３ａが設けられ、カセットトレイ１５を画像形成装置本体にセットした状態で、この第１のサイズ検知部２３ａと勘合するように画像形成装置本体側に第２のサイズ検知部２３ｂが設けられている。
カセットトレイ１５が画像形成装置本体にセットされて、この第１のサイズ検知部２３ａと第２のサイズ検知部２３ｂとが勘合することにより、転写紙１９のサイズが判定されるようになっている。
すなわち、例えば、Ａ３のサイズ検知の場合は、図２（ｂ）に示すように、カセットトレイ１５側の第１のサイズ検知部２３ａの丸付き数字４の位置に凸部Ａ−１が設けられており、この凸部Ａが第２のサイズ検知部２３ｂの丸付き数字４の位置の可動部材Ａ−２を押下するようになっている。
【０００８】
図３は、本発明の要部となる第２のサイズ検知部２３ｂの実施形態の詳細説明図であり、（ａ）は、全体構成図であり、（ｂ）は、一部拡大構成図であり、（ｃ）は、検知信号のタイムチャートである。
図３（ａ）、（ｂ）に示すように、この第２のサイズ検知部２３ｂは、カセットトレイ１５を画像形成装置本体にセットした状態で、第１のサイズ検知部２３ａの凸部Ａ−１、Ｂ−１、Ｃ−１、Ｄ−１のそれぞれと対応する位置に、可動部材Ａ−２、Ｂ−２、Ｃ−２、Ｄ−２が設けられている。
すなわち、紙サイズは全種類が４ビット分の２進数で表すことができる。よって第１のサイズ検知部２３ａの凸部を４つ配置し、あらかじめ（例えば、“００１０”をＡ４、“０００１”をＡ３）決められた可動部材Ａ−２、Ｂ−２、Ｃ−２、Ｄ−２を押下して移動させる。
そして、この可動部材Ａ−２、Ｂ−２、Ｃ−２、Ｄ−２が押下されることにより移動されると、ＩＣチップ（メモリ）３１と無線（電波）を受信し電磁波を発生させるアンテナ（平面コイル）３３とを一体化したＩＤタグ３５の平面コイル３３のスイッチ３３−１が切り替わるようになっている。
例えば、図３（ｃ）に示すＡ３“０００１”の例の場合、可動部材Ａ−２が押下され、ＩＤタグ３５ａの平面コイル３３ａのスイッチ３３ａ−１のみが切り替わり、メモリ３１ａが読み取り・書き込み可能状態へ切り替わる。なお、各メモリ３１には、後述する平面コイル４３およびＩＤタグリード／ライト部４５よりの誘導電磁界による書込み信号によりサイズ検知信号が書き込まれている。
【０００９】
図４は、図１に示したメイン制御部２５の構成図である。
図４に示すように、このメイン制御部２５は、メイン基板上にＣＰＵ４１を有しており、このＣＰＵ４１に、第２のサイズ検知部２３ｂのＩＤタグ３５のメモリ３１よりの電波信号を検出するための平面コイル４３およびＩＤタグリード／ライト部４５が接続されており、平面コイル４３よりの誘導電磁界によって読み取り可能状態のメモリ３１よりの無線のサイズ信号が読み取られ、第２のサイズ検知部２３ｂメモリ３１より無線で転写紙サイズ検知信号が受信されてＣＰＵ４１に送られ認識される。なお、メイン基板上の平面コイル４３は、交流電圧をかけることにより発生する誘導電磁界によってＩＤタグ内メモリ３１の読み書きが可能となる。
従って、第２のサイズ検知部２３ｂより図３（ｃ）に示すようなＡ３“０００１”の転写紙サイズ検知信号が送られてきた場合、平面コイル４３およびＩＤタグリード／ライト部４５によりＡ３“０００１”の転写紙サイズ検知信号が検知されＣＰＵ４１に送られ認識される。
上述のように、誘導電磁波を用いるＩＤタグを使用し、サイズ検出部とメイン基板との間のハーネスを用いることなくサイズの検出をすることができるので、配置の利便性を著しく向上させることができる。また、ＩＤタグ内メモリにデータを蓄積することができるので、メイン基板上のメインメモリを節約することができる。
なお、ＣＰＵ４１には、書き込み部４７、操作部４９、直流電源５１、高圧電源５３、各種モータ／ソレノイド／クラッチ５５、センサ５７、ＩＰＵ５９、ＨＤＤ６１などが接続されている。
【００１０】
図５は、転写紙サイズと転写紙サイズ検知信号との関係を示す図である。なお、この関係図は一例である。
図６は、他の実施形態の説明図である。通常、通信（電磁誘導）距離は数ｃｍから１ｍ程度の電磁波であるが、そのため電波を遮断する金属（電波遮断部材）などで電磁波を遮断することでよりメモリ３１内の確実なデータ保持を可能とすることができる。
この他の実施形態においては、図６に示すように、ＩＤタグ３５を電波を遮断する金属（電波遮断部材）７１で覆い、唯一電波が通過できる窓７３を設け、その窓の開閉を可動される可動部材Ａ−２、Ｂ−２、Ｃ−２、Ｄ−２で行うようにしている。それにより、より確実なデータ保持が可能となる。
【図面の簡単な説明】
【００１１】
【図１】本発明によるフルカラー画像形成装置の一実施形態の概略全体図である。
【図２】図１に示したサイズ検出部２３の説明図であり、（ａ）は構成斜視図、（ｂ）は拡大説明図である。
【図３】本発明の要部となる第２のサイズ検知部２３ｂの実施形態の詳細説明図であり、（ａ）は全体構成図、（ｂ）は一部拡大構成図、（ｃ）は検知信号のタイムチャートである。
【図４】図１に示したメイン制御部２５の構成図である。
【図５】転写紙サイズと転写紙サイズ検知信号との関係の一例を示す図である。
【図６】他の実施形態の説明図である。
【図７】（ａ）（ｂ）は従来の紙サイズを検出するカセットトレイの図である。
【符号の説明】
【００１２】
１…感光体ベルト、３…帯電チャージャ、７…現像部、９…感光体クリーニング部、１１…除電部、１５…カセットトレイ、１９…転写紙、２１…定着部、２３ａ…第１のサイズ検知部、２３ｂ…第２のサイズ検知部、２３…サイズ検出部、２５…メイン制御部、
３３ａ…平面コイル、３３…スイッチ、３５ａ…ＩＤタグ、４１…ＣＰＵ、４３…平面コイル、４５…ＩＤタグリード／ライト部、４９…操作部、５１…直流電源、５３…高圧電源、５５…種モータ／ソレノイド／クラッチ、５７…センサ、５９…ＩＰＵ、６１…ＨＤＤ
【図１】
2007074584.tif 000003
【図２】
2007074584.tif 000004
【図３】
2007074584.tif 000005
【図４】
2007074584.tif 000006
【図５】
2007074584.tif 000007
【図６】
2007074584.tif 000008
【図７】
2007074584.tif 000009